(57)【要約】【目的】  後々まで思い出に残ると共に、個人毎に個人毎の千勝に固有の日記帳であり、また、日々の生活に本の発注者が選択した写真と発注者が創作した文章に従った、例えば発注者の記念となるような本を手軽にかつ簡単に提供することを目的とする。【構成】  誕生日から始まる曜日ごとの書き込み領域を備え、所定期間を１頁とする日記帳部と、前記日記帳部の期間に対応した情報を表示可能な表紙部とを有し、前記日記帳部には、前記書き込み領域毎に対応する月日情報と、七曜情報と、記念日情報とを表示し、前記表紙部には、前記個人に起因する特定の日から始まる日を基準とした以後に配置される日記帳部の期間に対するアドバイス情報を表示すると共に、書類が収納可能な袋状部を形成してなる日記帳を提供する。【選択図】        図２
2007237656.tif 000002
【特許請求の範囲】
【請求項１】
個人に起因する特定の日を第１日目とする日記帳であって、
個人に起因する特定の日から始まる曜日ごとの書き込み領域を備え、所定期間を１頁とする日記帳部と、
前記日記帳部の期間に対応した情報を表示可能な表紙部とを有し、
前記日記帳部には、前記書き込み領域毎に対応する月日情報と、七曜情報と、記念日情報とを表示し、
前記表紙部には、前記個人に起因する特定の日から始まる日を基準とした以後に配置される日記帳部の期間に対するアドバイス情報を表示すると共に、書類が収納可能な袋状部を形成すること特徴とする日記帳。
【請求項２】
前記日記帳部には、個人に起因する特定の日を基準として行うべき行事情報を該当する日時又は期間に表示し、前記表紙部は、日記帳部とほぼ同じ形状の表紙部と、表紙部から山折り可能に連続した袋形成部から構成され、前記袋形成部の少なくとも一方端面に糊代部が形成されていることを特徴とする請求項１記載の日記帳。
【請求項３】
個人に起因する特定の日は誕生日であり、前記日記帳部の表頁に半月分裏頁に半月分を表示し、一ヶ月毎に前記表紙部を配置させ、前記表紙部表面には誕生月からの育児におけるアドバイス情報を表示し、裏面には袋状部を形成し、当該期間に必要な商品情報を表示することを特徴とする請求項１又は請求項２に記載の日記帳。
【請求項４】
個人に起因する特定の日を第１日目とする日記帳を作成する日記帳作成システムであって、
前記日記帳に表示される曜日情報を含むカレンダー情報を記憶するカレンダー情報記憶手段と、
前記個人に起因する特定の日から始まる日から一定期間ごとのアドバイス情報を記憶するアドバイス情報記憶手段と、
前記個人に起因する特定の日を基準とした場合の経過日時により特定される行事情報を記憶する行事情報記憶手段と、
指示情報を入力する入力手段と、
前記カレンダー情報記憶手段に記憶されている前記入力手段より指示される特定の日からのカレンダー情報を読みだし、一定期間を１頁として日ごとに設けた所定の書き込み領域とともに展開すると共に、前記行事情報記憶手段から読み出した行事情報を該当する日時領域に展開するカレンダー帳情報展開手段と、
前記カレンダー情報展開手段で展開されているカレンダー帳情報を１頁分毎に印刷出力するカレンダー帳印刷手段と、
前記カレンダー帳印刷手段で印刷出力されたカレンダー帳の印刷出力された期間に対応する前記アドバイス情報記憶手段に記憶されているアドバイス情報を読み出してきて表示印刷情報として展開する表紙情報展開手段と、
前記表紙情報展開手段で展開した表紙情報を表紙を構成する表示用紙に袋形成部を設けて印刷出力する表紙印刷手段とを備えることを特徴とする日記帳作成システム。
【請求項５】
個人に起因する特定の日は誕生日であり、前記日記帳部の表頁に半月分を裏頁に半月分を表示し、日記帳部の一ヶ月毎に前記表紙部を配置させ、前記表紙部の表面には誕生月からのそれぞれの月に応じた育児におけるアドバイス情報を表示し、裏面には袋状部を形成して当該期間に必要な商品情報を表示することを特徴とする請求項４記載の日記帳作成システム。
【請求項６】
個人に起因する特定の日を第１日目とする日記帳を作成する日記帳作成方法であって、
予め、前記日記帳に表示される曜日情報を含むカレンダー情報と、前記個人に起因する特定の日から始まる日から一定期間ごとのアドバイス情報と、前記個人に起因する特定の日を基準とした場合の経過日時により特定される行事情報とを記憶させておき、
前記記憶しているカレンダー情報より個人に起因する特定の日からのカレンダー情報を読みだし、一定期間を１頁として日ごとに設けた所定の書き込み領域とともに展開すると共に、展開したカレンダー情報の曜日に対応する前記行事情報を読み出して該当する日時領域に展開し、展開されているカレンダー帳情報を日記帳部として１頁分毎に印刷出力し、
前記印刷出力された日記帳部の印刷出力された期間に対応するアドバイス情報を読み出してきて表紙部表頁印刷情報として展開し、該展開した表紙情報を表紙を構成する表示用紙に袋形成部を設けて印刷出力することを特徴とする日記帳作成方法。
【請求項７】
個人に起因する特定の日は誕生日であり、前記日記帳部の表頁に半月分を裏頁に半月分を表示し、日記帳部の一ヶ月毎に前記表紙部を配置させ、前記表紙部の表面には誕生月からのそれぞれの月に応じた育児におけるアドバイス情報を表示し、裏面には袋状部を形成して当該期間に必要な商品情報を表示することを特徴とする請求項６記載の日記帳作成方法。
【発明の詳細な説明】
【技術分野】
【０００１】
本発明は、個人用日記帳及び日記帳作成システム並びに日記帳作成方法に関するものである。
【背景技術】
【０００２】
従来から、個人情報を記録する手段として、日記帳やカレンダー付き手帳などがあった。日記帳は、特定個人の日々の記録を行うものであるが、一般的には、１日ごとに一定の記載領域が確保されているものであり、自己で日時を記載して自由に日記や予定などを記載するタイプのものと、予め１年分又は複数年度分の日時及び曜日が印刷されており、各日ごとに一定の記載領域が確保されているタイプのものがあった。
【０００３】
これらのものは、ビジネス手帳を除くと利用者数も限られており、どうしても汎用的な仕様にならざるを得なかった。このため、日記を付けるのが日課になっている人以外にとっては取っ付きにくいものであった。
【０００４】
【特許文献１】特になし
【発明の開示】
【発明が解決しようとする課題】
【０００５】
しかしながら、受験戦争に勝利したため親元を離れて新たな生活を始める時や結婚した時、子供ができた時など、人生の節目が来たときなどでは新たな気持ちで日記を付けたり、後々の思い出のためにも日記を付けようとしても、なかなか良いものがなかった。
【０００６】
例えば、初めて子供ができた場合など、子供の成長記録を残したいと考えても、日記帳は年の初め（１月１日）又は年度の初め（４月１日）から１年分あるいは２．３年分が予め印刷されているのであり、生年月日によっては１，２ヶ月のためにまるまる１年分の日記帳を購入する必要があり、無駄が多かった。
【０００７】
更に、新たに子供ができた場合などにおいては、初めて経験すべきことが多く、過不足なく必要なことを行えるか不安も多かった。また、各種の書類や資料の保管や抽出もなかなかうまくできないのが現状であった。
【課題を解決するための手段】
【０００８】
本発明は、上述した課題を解決することを目的としてなされたもので、係る目的を達成する一手段として、例えば以下の構成を備える。
【０００９】
即ち、個人に起因する特定の日を第１日目とする日記帳であって、個人に起因する特定の日から始まる曜日ごとの書き込み領域を備え、所定期間を１頁とする日記帳部と、前記日記帳部の期間に対応した情報を表示可能な表紙部とを有し、前記日記帳部には、前記書き込み領域毎に対応する月日情報と、七曜情報と、記念日情報とを表示し、前記表紙部には、前記個人に起因する特定の日から始まる日を基準とした以後に配置される日記帳部の期間に対するアドバイス情報を表示すると共に、書類が収納可能な袋状部を形成すること特徴とする日記帳とする。
【００１０】
そして例えば、前記日記帳部には、個人に起因する特定の日を基準として行うべき行事情報を該当する日時又は期間に表示し、前記表紙部は、日記帳部とほぼ同じ形状の表紙部と、表紙部から山折り可能に連続した袋形成部から構成され、前記袋形成部の少なくとも一方端面に糊代部が形成されていることを特徴とする。
【００１１】
また例えば、個人に起因する特定の日は誕生日であり、前記日記帳部の表頁に半月分裏頁に半月分を表示し、一ヶ月毎に前記表紙部を配置させ、前記表紙部表面には誕生月からの育児におけるアドバイス情報を表示し、裏面には袋状部を形成し、当該期間に必要な商品情報を表示することを特徴とする。
【００１２】
または、個人に起因する特定の日を第１日目とする日記帳を作成する日記帳作成システムであって、前記日記帳に表示される曜日情報を含むカレンダー情報を記憶するカレンダー情報記憶手段と、前記個人に起因する特定の日から始まる日から一定期間ごとのアドバイス情報を記憶するアドバイス情報記憶手段と、前記個人に起因する特定の日を基準とした場合の経過日時により特定される行事情報を記憶する行事情報記憶手段と、指示情報を入力する入力手段と、前記カレンダー情報記憶手段に記憶されている前記入力手段より指示される特定の日からのカレンダー情報を読みだし、一定期間を１頁として日ごとに設けた所定の書き込み領域とともに展開すると共に、前記行事情報記憶手段から読み出した行事情報を該当する日時領域に展開するカレンダー帳情報展開手段と、前記カレンダー情報展開手段で展開されているカレンダー帳情報を１頁分毎に印刷出力するカレンダー帳印刷手段と、前記カレンダー帳印刷手段で印刷出力されたカレンダー帳の印刷出力された期間に対応する前記アドバイス情報記憶手段に記憶されているアドバイス情報を読み出してきて表示印刷情報として展開する表紙情報展開手段と、前記表紙情報展開手段で展開した表紙情報を表紙を構成する表示用紙に袋形成部を設けて印刷出力する表紙印刷手段とを備えることを特徴とする日記帳作成システムとする。
【００１３】
そして例えば、個人に起因する特定の日は誕生日であり、前記日記帳部の表頁に半月分を裏頁に半月分を表示し、日記帳部の一ヶ月毎に前記表紙部を配置させ、前記表紙部の表面には誕生月からのそれぞれの月に応じた育児におけるアドバイス情報を表示し、裏面には袋状部を形成して当該期間に必要な商品情報を表示することを特徴とする。
【００１４】
または、個人に起因する特定の日を第１日目とする日記帳を作成する日記帳作成方法であって、予め、前記日記帳に表示される曜日情報を含むカレンダー情報と、前記個人に起因する特定の日から始まる日から一定期間ごとのアドバイス情報と、前記個人に起因する特定の日を基準とした場合の経過日時により特定される行事情報とを記憶させておき、前記記憶しているカレンダー情報より個人に起因する特定の日からのカレンダー情報を読みだし、一定期間を１頁として日ごとに設けた所定の書き込み領域とともに展開すると共に、展開したカレンダー情報の曜日に対応する前記行事情報を読み出して該当する日時領域に展開し、展開されているカレンダー帳情報を日記帳部として１頁分毎に印刷出力し、前記印刷出力された日記帳部の印刷出力された期間に対応するアドバイス情報を読み出してきて表紙部表頁印刷情報として展開し、該展開した表紙情報を表紙を構成する表示用紙に袋形成部を設けて印刷出力する表紙印刷手段とを備えることを特徴とする日記帳作成システムとする。
【００１５】
そして例えば、個人に起因する特定の日は誕生日であり、前記日記帳部の表頁に半月分を裏頁に半月分を表示し、日記帳部の一ヶ月毎に前記表紙部を配置させ、前記表紙部の表面には誕生月からのそれぞれの月に応じた育児におけるアドバイス情報を表示し、裏面には袋状部を形成して当該期間に必要な商品情報を表示することを特徴とする。
【発明の効果】
【００１６】
本発明によれば、個人に起因する特定の日から始まるため、利用者にとっても不要な部分を最小に抑えることができ、使いやすいものとできる。更に、思い出深いものとして後々まで保存する場合であっても最適なものとできる。更に、記念品としても適しており、実際の使用者のみならず、関係者が購入して送るにも適しているため、より多くの需要が見込める。
【００１７】
更に、袋部を備えていることにより、その期間に必要となった。あるいは利用した書類などが期間毎に自然分別されて収納できるため、後々であっても容易に検索することができる。
【発明を実施するための最良の形態】
【００１８】
｛第１の実施の形態例｝
以下、本発明に係る一発明の実施の形態例を図面を参照して詳細に説明する。以下の説明は、個人に起因する特定の日が誕生日である日記、育児日記を例として説明を行う。
【００１９】
しかし、本発明は育児日記に限定されるものではなく、結婚記念日記であっても、入学記念日記であっても、あるいは引っ越し記念日記であっても、昇進記念日記であっても良い。
【００２０】
更に、日記に限定されるものではなく、記念本であっても良い。本発明は以上の例に限定されるものではなく、あらゆる本の制作に適用できる事は勿論である。
【００２１】
まず図１を参照して本実施の形態例の日記帳製本システムの構成を説明する。図１は本発明に係る一発明の実施の形態例の日記帳製本業者が備える製本システムの構成を示すブロック図である。
【００２２】
図１において、１００は日記帳製本業者の所有する製本システムの各種情報処理を行う制御コンピュータである情報処理装置である。情報処理装置１００は、全体制御を司るＣＰＵ１１０、動作プログラムの一部や各種設定除法などを記憶するＲＯＭ１２０、外部記憶装置２１０より、又は不図示のデータＤＶＤ又はデータＣＤ等に記憶されている制御プログラムの一部を読み込み実行させると共に、処理実行経過などを一次記憶するＲＡＭ１３０を含んでいる。
【００２３】
ＲＡＭ１３０には、処理経過などが記憶されるが、同時に、一部の処理結果は外部記憶装置２１０に記憶させて、必要に応じて読み出してきて処理するように制御している。
【００２４】
この処理実行経過には、後述する抽出したカレンダー情報、記念日情報、行事情報であり、これらの情報をもとに作成されたカレンダー情報、月ごとのアドバイス情報、表紙情報、印刷情報としてイメージ展開情報などが含まれる。
【００２５】
また、１５０はネットワーク網４００を介して他の情報処理装置、例えば顧客端末Ａ５１０、顧客端末Ｂ５２０、顧客端末Ｃ５３０などとデータ通信を行うためのネットワーク制御部、１６０は処理経過や処理結果等を情報等を表示する表示装置、１７０は各種指示などを入力する操作部である。
【００２６】
また、２２０乃至２５０は情報処理システム１００によりアクセスされるデータベースであり、２１０は動作プログラムや処理経過情報、処理結果情報、各種定義情報などの一般的な情報を記憶する外部記憶装置である。
【００２７】
外部記憶装置２１０は、例えばハードディスク装置で構成でき、情報処理装置筐体に内蔵されたものであっても、インタフェースケーブルなどを介して接続される別筐体のものであってもよい。更に、着脱自在のコンパクトフラッシュ（登録商標）メモリ装置等のＩＣメモリで構成されたものであっても、フレキシブルディスク装置、ＤＶＤ／ＣＤドライブ装置等で構成されていてもよい。
【００２８】
２２０はカレンダー情報を記憶するカレンダー情報ファイルであり、将来に渡る日時及び曜日、六曜、節気など、各年月日に特有の情報を記憶している。２３０は記念日情報ファイルであり、一般的な国民の祝日等の情報等のほか、特定の個人が所属する土地柄あるいは職業柄に特有に設けられている記念日情報を記憶している。
【００２９】
２４０は行事記念日情報を記憶する行事情報ファイルであり、一般的な国民共通の、あるいは著名な機関等による行事情報等と、特定の個人に特有の行うべき行事情報を記憶している。例えば育児日記であれば「誕生日」、「お七夜」、「お宮まいり」、「一ヶ月検診」などが該当する。
【００３０】
また、２５０はアドバイス情報ファイルあり、このアドバイス情報ファイル２５０には、各育児期間においてそれぞれ気を付けることや、一般的な子供の状態の解説、スキンシップの方法、育児において必要とされる、あるいは所持することが望ましい商品の解説情報が含まれる。
【００３１】
また、３００は情報処理システム１００よりの制御で個人に起因する特定の日から時系列に作成された日記帳作成情報を印刷出力する印刷装置である。印刷装置３００は、日記帳作成に必要な各種の情報を印刷出力し、この印刷出力された各パーツを組み合わせ、必要な加工を行って本実施の形態例の日記帳を作成する。
【００３２】
次に、以上の構成を備える本実施の形態例の日記帳作成制御を図２のフローチャートを参照して以下に説明する。
【００３３】
以下に作成する日記帳は、子供が生まれてから１年間の日記帳の体裁を備えており、育児日記として機能するものとする。このため、まずステップＳ１において、日記帳本人の個人に起因する特定の日、この場合には生年月日、誕生時刻、氏名などの日記帳を作成するのに必要となる個人情報等の各種情報、及び関連する日記帳に記載したい情報、例えば、両親の名前や名付け親の氏名などを、操作部１７０から入力して直接情報処理装置１００に、あるいは、ネットワーク網４００を介して接続可能な代理店や直営店等の顧客サイトに設置された顧客端末５１０〜５３０等から入力し、ネットワーク制御部１５０を介して情報処理システム１００に取り込む。
【００３４】
この情報は例えば、顧客からファクシミリ通信で受信しても、あるいは各販売店舗で申込用紙を配布し、この申込用紙に記入して郵便で直接受け取っても、販売店経由で受け取ってもよい。
【００３５】
更に、販売店で顧客端末から操作入力してネットワーク網４００、ネットワーク制御部１５０を介して直接受け取っても良い。あるいは、インターネットのホームページに申込みフォーマットを用意しておき、顧客がこれをダウンロードして必要な情報を書き込み、返送することで受注してもよい。
【００３６】
続くステップＳ３において、情報処理装置は、ステップＳ１で取り込んだ情報をもとにして、特定の日から始まる一ヶ月毎のカレンダー情報をカレンダー情報ファイル２２０から読み出してくる。
例えば、平成１７年７月２１日が誕生日であれば、平成１７年７月２１日から始まる一ヶ月毎の月日情報、曜日情報等のカレンダー情報を読み出す。
【００３７】
続いてステップＳ５において、記念日情報ファイル２３０から誕生日から１年以内の記念日情報を一ヶ月毎に読み出すと共に、行事情報ファイル２４０から同じく誕生日から１年以内に行うべき、また必要と思われる行事情報を一ヶ月毎に読み出し、ステップＳ３で読み出したカレンダー情報と関連付けておく。
【００３８】
そしてステップＳ７に進み、一冊の日記帳分（例えば１年分）の情報が取得できたか判断する。まだ一冊分の情報が取得できていない場合にはステップＳ３に戻り、次の月の情報を読み出してくる。
【００３９】
一方、ステップＳ７で一冊分の情報が取得できたときはステップＳ１０に進み、予め定められたフォーマットに従って一ヶ月を１枚の裏表となるように２頁にまとめた日記帳データを作成する。本実施の形態例では、図３に示すように、綴じ代側基部近傍にアドバイス情報や行事説明分の表示領域を設け、先端側に１日につきほぼ２行分の空白領域（書き込み領域）を設け、先端部にカレンダー情報、記念日情報を設けた構成としている。
【００４０】
次にステップＳ１２において、各月ごとの日記部分の前に配置される表紙部の印刷情報の展開を行う。図５の例では、月ごとの表頁には上段右側に以降に続く日記部の内容（０−１ヶ月）表示とアドバイス情報を展開し、上段左側に写真貼り付け欄が形成される。裏頁は袋状に形成され、おすすめグッズとしてこの時期にあると便利な商品の紹介欄が設けられている。
【００４１】
これら表紙部を形成する情報をアドバイス情報ファイル２５０などから抽出して所定のフォーマットに従って描画し、表紙データを作成する。
【００４２】
続くステップＳ１４において、一冊分（例えば１年分）の日記帳作成に必要な全ての表紙データを作成したか否かを調べる。一冊分のデータが作成できていない場合にはステップＳ１０に戻り、次のデータ作成を行う。
【００４３】
一方、ステップＳ１４で一冊分のデータが作成し終わった場合にはステップＳ１６に進み、ステップＳ１０及びステップＳ１２で作成し、例えばＲＡＭ１３０などに格納されている展開情報を印刷装置３００から印刷出力する。
【００４４】
なお、以上の説明では、一冊分のデータを全て揃えてからステップＳ１６の印刷処理を行う例について説明した。しかし、本実施の形態例は以上の例に限定されものではなく、一枚分の印刷すべき情報が揃った段階で印刷出力しても、１頁分の情報が揃った段階で１頁分の情報を印刷出力し、その後裏頁の情報が揃った段階で裏頁を印刷出力するように制御してもよい。印刷情報の生成と印刷出力のタイミングは任意に決定できる。
【００４５】
印刷が終了すると、続くステップＳ１８において、必要枚数の袋部分を製作する。これで必要な頁が揃ったため、続くステップＳ２０において、製本処理を行う。製本方法は任意であり、バインダー形式であっても、アルバム形式であっても、背表紙を付けた本格的な製本処理を行ってもよい。
【００４６】
ステップＳ２２で製本結果を確認して不具合がないか否かを検査する。その結果、良品であれば日記帳完成としてユーザーに渡す。一方、良品でなければステップＳ３に戻り、再度以上の処理を行う。
【００４７】
なお、この検査工程は最後に行うのではなく、ステップＳ１６の処理終了時、ステップＳ１８の処理終了時、ステップＳ２０の処理終了時のそれぞれで行うようにし、不良部分のみやり直してもよい。
【００４８】
以上の処理により印刷出力された一ヶ月毎の日記帳部分の例を図３、図４に示す。図３は本実施の形態例の育児日記の第一ヶ月目の第１頁目（表頁）の印刷例を、図４は本実施の形態例の育児日記の第一ヶ月目の第２頁目（裏頁）の印刷例を示している。
【００４９】
図３、図４に示すように、本実施の形態例では１頁を１５行に分け、第１頁目の第１行目を誕生日にし、記念日情報として誕生した子供の氏名欄と誕生日である旨の表示を行い、第７行目には当該個人に特有の行事日である「お七夜」の表示が行われている。
【００５０】
そして、左余白部には、生後２週間程度の期間に対するアドバイス情報（親に対するアドバイス）が表示されている。ここでは、一例として、生後１ヶ月間の入浴方法と必要な手続として出生届の提出期限「お七夜」の意味などが表示されている。
【００５１】
図４に示す、第１６日目から第３０日目までの１５日間の第２頁目においては、記念日情報ファイル２３０より一般によく知られている記念日情報を読み出してきて対応する曜日の欄の表示している。ここでは、８月６日から２０日の半月分がカレンダー情報として抽出され表示されている。
【００５２】
また、記念日としては、８月６日の「広島原爆記念日」、８月７日の「鼻の日」、８月９日の「ながさき平和の日」、８月１３日からの「お盆（旧盆）」等がそれぞれ表示されている。
【００５３】
なお、ここ記念日の表示例は以上の例に限定されるものではなく、更に多くの記念日を表示して良く、表示例に限定されるものではない。月日が変われば当然変わることも当然である。
【００５４】
更に、以上の例は日本国の記念日の例であったが、曜日を英語で表示し、英国の記念日あるいは米国の記念日を表示しても良く、更に他の国の言語で曜日を表示し、それぞれの国の記念日を表示しても良い。行事情報についても全く同じであり、各国の慣習に合わせて適宜最適の情報を記憶し、また表示することが望ましい。
【００５５】
また、図３，４に示す月ごとの日記帳（月日）情報の前に配置される月ごとのアドバイス情報が記載される表紙部の印刷例を図５に示す。なお、裏面には特別の情報は印刷しておらず、本実施の形態例では所定の地模様を印刷している。図5に示す表紙部の例は、誕生日月の例であり、最初の０ヶ月から一ヶ月の表紙である。
【００５６】
本実施の形態例においては、表紙部は表面を形成する日記帳部と同面積の長方形部分と、境界部分を山折りすることにより裏面に袋部を形成するため長方形部から連続する楕円の１／４形状の楕円状部分とから構成され、楕円状部の長尺辺部外側に糊代部が形成されている。
【００５７】
なお、表紙部は、長方形の紙に表頁（上記した各種情報）と裏頁（所定模様）をそれぞれ印刷出力した後に裁断し、糊代部と袋部を形成するように裁断してもよく、裁断した後に印刷出力してもよい。
【００５８】
その後、表頁の形状になるように山折りし、更に糊代を山折りして接着剤を塗布し、表頁の裏面に貼着して袋を形成する。最後に綴じ代部に例えば２０穴のパンチ穴を形成し、バインダーで綴じる構成とすればよい。
【００５９】
その後製本前に糊代部に接着剤を塗布、あるいは両面テープを貼着し、境界部及び糊代部を山折りして糊代部を表紙表面裏側に接着固定して袋部を形成する。なお、パンチ穴の穿孔は、袋部を形成後に行ってもよい。あるいは、印刷前に行ってもよい。
【００６０】
図５に示すように、表紙の表面部上段左欄に例えば誕生時の写真などの貼り付け欄が設けてあり、右上欄には０−１ヶ月であることを表示し、上段右下欄には親に対する一般的なアドバイスを表示する例が示されている。
【００６１】
そして下段の左側には体についてのアドバイス、右欄には精神面（心の問題）に対するアドバイスが表示されている例を示している。
【００６２】
表紙裏面側は、山折りすることを考えて表面部とは逆向きに、育児において参考となるアドバイス情報（広告情報）を印刷出力しており、図５の例では、育児において必要と、あるいは所持することが望ましい品目の例として命名フォトフレームの紹介と、哺乳瓶の紹介が写真付きで表されている。
【００６３】
この欄は、以上の例に限定されるものではなく、同じ誕生日の有名人の紹介や歴史的な出来事、親向けの広告的な情報であってもよく、他にこの育児日記を贈答用に作成した場合には贈り主の情報を表示してもよい。その内容に限定されるものではない。
【００６４】
更に、この袋の中に収納することが多いもの、例えば育児手帳や必要な手続書類、その控えなどの情報であってもよい。このような袋を備えることにより、単なる日記帳としての機能のみではなく、育児に必要な書類がバラバラになることもなく、自動的に必要な場所に収納できる。
【００６５】
日記帳が育児日記であれば、例えば、予防接種の通知や育児手帳、後で読み返したい雑誌の切り抜き、整理していない写真などを入れておくと便利である。
【００６６】
また、子供の成長過程の中で必要とされるものは同じような時期に同じようなものが参考となる例がほとんどであり、後から書類を検索して参考とする場合においても、成長月ごとに資料を揃えておけることから、非常に便利である。
【００６７】
本実施の形態例では、以上の日記帳部と表紙部の他に、日記帳の表紙が用意されている、ここには、誕生した子供の名前及び生年月日（判明している場合には誕生時刻）が、例えば「育児日記」とのタイトルと共に表示されている。
【００６８】
続く頁としては、題字（例えば、「生まれた日から始まる育児日記ＡＬＢＵＭ」と共に、出産を祝福する文章を表示し、裏面に例えばこの育児日記帳の使用方法や機能を記載することが望ましい。
【００６９】
更に、誕生時が判明している場合には続く頁に時計表示を行い、時計の針が誕生時刻を指示するように表示し、中央又は端部に誕生日時を表示すれば、生まれてきた子供の育児日記であることが強く意識されよい思い出となる。これは、誕生日以外の個人に起因する日時であっても全く同様である。
【００７０】
その後に表紙部を配置してもよいが、出生場所情報と写真貼付欄を設け、ここに出生場所、あるいはその周辺の写真等を貼付し例えばその裏面に妊娠中及び出生の話を記載する領域を設けてもよい。これにより誕生に至るストーリーなども記録することができ、より趣味性の高い日記帳を提供できる。
【００７１】
更に、日記帳制作時に新生児の名前が決まっている場合も多いため、次に名前を印刷し、名付けに関する写真（名前を書した紙など）や、命名した名前を書いているときの写真などの関連する写真の貼り付け欄を設けることが望ましい。そして、裏面には名付けに関する話を記載する欄を設けることが望ましい。
【００７２】
例えば、その後に日記帳部の第１頁目（図３に示す最初の半月分）を配設してもよい。
【００７３】
本実施の形態例では、このようにして印刷した各頁を例えば左綴で製本する。この際、左側端部近傍に、例えば２０穴の孔を空け２０穴用のバインダーで綴じてもよい（パンチカード式に製作してもよい。）。このようにすることにより、バインダーの形状を適切に選択すれば、全体としての厚さが変化しても、柔軟に対応することができ、袋部を形成した日記帳に最適の製本方法となる。
｛第２の実施の形態例｝
【００７４】
以上の説明においては、依頼者よりの個人に特有の情報の収集方法を問わず、顧客端末あるいは操作部より必要情報を入力する例について説明した。この依頼者よりの個人に特有の情報の収集方法の一例として、予め必要事項を記入してもらうための注文用紙を用意しておき、この注文用紙の一方面に日記帳のレイアウト参考例を表示して概要を伝え、他方面に個人に特有の情報を記入するための書き込み枠を印刷し、指示に従って記入して行くのみで必要事項を記入できるように構成されている。
【００７５】
第２の実施の形態例における注文用紙の例を図６、図７に示す。図６は注文用紙の書き込み枠の例を、図７にレイアウト参考用紙を示す。
【００７６】
予め注文用紙のそれぞれに固有の識別番号を付与することにより、注文用紙の管理が可能となる。このため、この注文用紙を所定の販売価格で販売して注文用紙を購入することで日記帳を受け取る権利を取得し、必要事項を記入して日記帳製造者に送ることで、自分だけの日記帳、即ちオーダーメイドの日記帳を受け取ることが可能となる。注文用紙は、ファクシミリで送信しても、返送用（注文用）の封筒内に収納して郵送すればよい。
【００７７】
この第２の実施の形態例の注文用紙による具体的な日記帳オーダー処理の手順を以下に説明する。
【００７８】
第２の実施の形態例では、固有の識別番号を問い合わせ番号と表示しており、図６の例では、「ＩＮ０１」から始まる数字を割り当てることとしている。これにより、注文用紙頒布時にこの番号を登録し、問い合わせが来たとき、あるいは注文用紙が送られてきたときに販売済み番号として登録する。その後注文に応じて日記帳を送り届けたときに処理済みの番号として登録する。これにより、固有の番号毎の処理状況の管理が可能となると共に、不正使用にも容易に対応可能である。
【００７９】
日記帳の製作を依頼する依頼者（注文者）は、料金を支払ってこの注文用紙類を受け取る。この注文用紙には、例えば、
（１）届け先住所、氏名。電話番号、ファクシミリ番号
（２）日記帳の当事者の氏名（漢字、平仮名（又は片仮名））
（３）誕生日（年月日及び誕生時刻）
（４）誕生住所・施設名（病院名など）
（５）誕生時の体重、身長、性別
等の記入欄が、図６に示すように配設されており、これらの升目を順次埋めていくことにより、育児日記帳作成に必要な情報が記入できる。
そして、同じ面にファクシミリ送信する場合のファクシミリ番号と、販売元の情報を印刷する。
【００８０】
また、第２の実施の形態例では、注文用紙の他方面には、図７に示すように、育児日記の体裁の概要が示されており、注文者は予め育児日記がどのような物かをイメージすることができ、完成時の期待も高まる。
【００８１】
左上欄の誕生した新生児の名前を印刷する表紙レイアウト頁、右上欄の生年月日生誕時刻名と誕生時の情報を表示する頁、右下欄の新生児の写真を貼着する頁、左下欄の表紙部の続く日記帳部の表部には、月（期間）の育児に関するアドバイス情報を表示し、この期間の写真を貼る欄が設けられている。
【００８２】
中段右欄が表紙部の裏面レイアウトであり、この期間に受け取った育児手帳や予防接種の案内、必要な出費をした場合の領収書などを収納できるポケット部が形成され、役立つ物品情報などが表示されている。
【００８３】
左中段には、表紙部に続く日記帳部のレイアウトが表示されており、誕生日を第１日目としたカレンダーが右側端部に、その右側に各曜日毎の書き込み領域（２行分）が設けられている。
【００８４】
第２の実施の形態例に示すように、注文用紙を見ることにより育児日記の概略を認識して、安心して注文することができる。しかも、各注文用紙に固有の番号を付してこの番号を管理することにより、不正行為を確実に防げると共に、簡単にかつ確実に個人の特注のオーダーメイドの日記帳を注文でき、又届けることができる。
【図面の簡単な説明】
【００８５】
【図１】本発明に係る一発明の実施の形態例の日記帳作成システムの構成を示すブロック図である。
【図２】本発明に係る一発明の実施の形態例の日記帳作成制御を説明するためのフローチャートである。
【００８６】
【図３】本実施の形態例の日記帳部の表頁の最初の半月分の印刷例を示す図である。
【図４】本実施の形態例の日記帳部の裏頁の次の半月分の印刷例を示す図である。
【００８７】
【図５】本実施の表紙部の印刷出力例を示す図である。
【図６】本発明に係る第２の実施の形態例の日記帳の注文用紙の個人情報記入部の例を示す図である。
【図７】第２の実施の形態例の日記帳のレイアウト例を示す図である。
【符号の説明】
【００８８】
１００    情報処理装置
１１０    ＣＰＵ
１２０    ＲＯＭ
１３０    ＲＡＭ
１５０    ネットワーク制御部
２１０    外部記憶装置
２２０    カレンダー情報ファイル
２３０    記念日情報ファイル
２４０    行事情報ファイル
２５０    アドバイス情報ファイル
３００    印刷装置
４００    ネットワーク網
５１０    顧客端末Ａ
５２０    顧客端末Ｂ
５３０    顧客端末Ｃ
【図１】
2007237656.tif 000003
【図２】
2007237656.tif 000004
【図３】
2007237656.tif 000005
【図４】
2007237656.tif 000006
【図５】
2007237656.tif 000007
【図６】
2007237656.tif 000008
【図７】
2007237656.tif 000009